【事件の表示】
　特願２０１３−　４９６４９「描画装置」拒絶査定不服審判事件〔平成２６年　９月２２日出願公開、特開２０１４−１７４９３１〕について、次のとおり審決する。
【結　論】
　本件審判の請求は、成り立たない。
【理　由】
１．手続きの経緯・本願発明
　本願は、平成２５年３月１２日の出願であって、平成２７年５月２８日付けで拒絶査定がなされ、それに対して、同年８月３１日付けで拒絶査定に対する審判請求がなされるとともに手続補正され、当審において平成２８年３月２４日付けで拒絶理由が通知されたところ、同年５月２６日付けで意見書及び手続補正書が提出されたものであり、その請求項１に係る発明は、平成２８年５月２６日付けの手続補正により補正された特許請求の範囲、明細書及び図面の記載からみて、その特許請求の範囲の請求項１に記載された次のとおりのものと認める。（以下、「本願発明」という。）
　
「【請求項１】
　自器の識別データを夫々有し、描画に係る指示を行なう複数の描画器から、該指示を受け付け、該指示に基づいて画像が表示される表示画面を有する描画装置において、
　前記表示画面上の各描画器の位置を検出するタッチパネル部と、
　描画に係る設定を受け付ける設定受付画像の表示指示をユーザから受けずに、検出された描画器夫々の位置に基づき、描画器夫々に対応した設定受付画像を描画器の数だけ表示する表示手段と、
　各描画器から識別データを取得する取得手段とを備え、
　取得された識別データ及び前記タッチパネル部の検出結果に基づき、各描画器の位置から特定範囲内に、対応する設定受付画像が表示され、各描画器の位置変更に応じて、変更後の各描画器の位置から前記特定範囲内に、対応する設定受付画像の表示位置が変更されるように構成してあることを特徴とする描画装置。」
　
２．刊行物・引用発明
（１）当審における、平成２８年３月２４日付けで通知した拒絶の理由に引用された特開２００８−１１８３０１号公報（以下、「刊行物１」という。）には、図とともに次の記載がある。
「【０００２】
　従来から、大画面表示装置に画像情報及びテキスト情報により構成されるドキュメントを表示することにより、会議やプレゼンテーション及び講義を行う電子黒板システムが存在する。
【０００３】
　図１４は、第１の従来例に係る電子黒板システムにおけるユーザ操作を示す図である。
【０００４】
　図１４において、
デジタイザやペン等の入力装置２０３によりユーザ２０１が表示装置２０２の画面上にテキストやイラスト等のドキュメントを描画することが可能である
【０００５】
　近年、表示装置の大画面化が進み、プラズマディスプレイやフロントプロジェクタ及びリアプロジェクションディスプレイにおいては１００インチを超える画面サイズの表示装置も存在する。
【０００６】
　このように、会議やプレゼンテーション及び講義等に使用する表示装置の大型化が進むことは、より情報を大きく見やすく表示し、またより多くの情報を表示することが可能になるメリットがある。そして、それとともに、大型化により複数のユーザが表示装置の前に立ち、複数の入力装置を用いて共同でドキュメントの編集を行うことが可能になる。このことで、より議論が活発になりクリエイティブなコラボレーションを実現する一助となる。
【０００７】
　反面、会議やプレゼンテーション及び講義等に使用する表示装置の大型化が進むことは、ユーザの操作性を悪化させるデメリットも顕在化する。以下、
図１５乃至図１７を用いて大画面表示装置の画面上にタッチパネル等を組み合わせ、デジタイザやペン等の入力装置によりユーザが表示装置の画面上にテキストやイラストを描画する際に顕在化する課題について説明する。
【０００８】
　図１５は、第２の従来例に係る電子黒板システムにおけるユーザ操作を示す図である。
【０００９】
　図１５は、ユーザ３０１、３０２が表示装置３０３の画面３０４の周囲に配置された機能ボタン３０７を押下することにより、デジタイザ３０５、３０６の機能を変更し、ドキュメントの操作及び編集を行う場合について図示したものである。
ここでは大画面においてもデジタイザの機能変更を行いやすいように、画面３０４の左右に機能ボタン３０７を配置している。
【００１０】
　ユーザＡ３０１がデジタイザ３０５の機能を消去ツールからペンツールに変更する場合、ユーザＡ３０１はペンアイコンが図示された機能ボタン３０７を押下する。このことにより、表示装置３０３は以降のデジタイザ３０５による操作をペンツールによる操作として処理する。
【００１１】
　しかし図１５の例では、ユーザＡ３０１が機能ボタン３０７を押下してデジタイザ３０５の機能を変更すると、ユーザＢ３０２が持つデジタイザ３０６の機能も変更されてしまい、ユーザＢ３０２が意図しないデジタイザ３０６の機能に変更されてしまう課題がある。
【００１２】
　上記の課題を解決するために、図１６に示す電子黒板システムも提案されている。
【００１３】
　図１６において、デジタイザ４０５、４０６は個別の識別子を持ち、デジタイザ４０５、４０６で機能ボタン４０７を押下すると表示装置４０３にデジタイザ４０５、４０６の識別子を通知することにより、表示装置４０３は各デジタイザに機能を設定できる。
【００１４】
　
しかし図１６のシステムでは、ユーザＡ４０１がデジタイザ４０５の機能を変更するために、デジタイザ４０５を画面４０４の編集領域から機能ボタン４０７まで移動させなければならない。その結果、デジタイザ４０５だけでなくユーザ４０１の視線も移動し、思考が中断されてしまう課題がある。
【００１５】
　上記の課題を解決するために、
図１７に示す電子黒板システム
【００１６】
　
図１７において、デジタイザ５０５付近の画面５０４に機能ツールウィンドウ５０８を表示させ、ユーザ５０１はデジタイザ５０５で機能ツールウィンドウ５０８に表示された機能アイコンを選択すると表示装置５０３にデジタイザ５０５の識別子を通知する。表示装置５０３は各デジタイザ５０５、５０６に機能を設定できる。
【００１７】
　
デジタイザ５０５付近の画面５０４に機能ツールウィンドウ５０８を表示させるために、デジタイザ５０５に機能ツールウィンドウ５０８を表示するためのボタンを設け、そのボタンをクリックすることにより、機能ツールウィンドウ５０８を表示する場合がある。また、デジタイザ５０５で所定のペンジェスチャを行うことにより、機能ツールウィンドウ５０８を表示する場合がある。
【００１８】
　この場合には上記の視線が移動し、思考が中断される課題は解決するが、デジタイザ５０５の機能を変更するためには機能ツールウィンドウ５０８を表示するための操作をユーザが覚える必要があるため直感的な操作とは言えない。また、デジタイザ５０５の機能を変更するためには、１：機能ツールウィンドウ５０８を表示させる。２：機能アイコンを選択する、という２つのステップの操作を行う必要があり、これもまた直感的な操作とは言えず思考が中断される課題は依然として残っていた。」
　上記下線部の記載及びその関連する記載によれば、図１７に示す電子黒板システムに関して、刊行物１には、次の発明（以下、「引用発明」という。）が記載されていると認められる。
「大画面表示装置の画面上にタッチパネル等を組み合わせ、デジタイザやペン等の入力装置によりユーザが表示装置の画面上にテキストやイラストを描画するものであり、画面５０４の左右に機能ボタン５０７を配置する電子黒板システムであって、
　デジタイザ５０５付近の画面５０４に機能ツールウィンドウ５０８を表示させ、ユーザ５０１はデジタイザ５０５で機能ツールウィンドウ５０８に表示された機能アイコンを選択すると表示装置５０３にデジタイザ５０５の識別子を通知し、表示装置５０３は各デジタイザ５０５、５０６に機能を設定でき、
　デジタイザ５０５付近の画面５０４に機能ツールウィンドウ５０８を表示させるために、デジタイザ５０５に機能ツールウィンドウ５０８を表示するためのボタンを設け、そのボタンをクリックする、または、デジタイザ５０５で所定のペンジェスチャを行うことにより、機能ツールウィンドウ５０８を表示する電子黒板システム。」
（２）当審における、平成２８年３月２４日付けで通知した拒絶の理由に引用された特開２０１２−５３５８４号公報（以下、「刊行物２」という。）には、図とともに次の記載がある。
「【０００３】
　この種のシステムにおいて、デバイスの設定変更のためのメニュー画面を表示する場合、次のような方法が知られている。特許文献１では、大型スクリーンに画像を投影するプロジェクタにおいて、スクリーン右上端にメニュー領域が表示される。特許文献２では、コンピュータ入力システムにおいて、スクリーンの上端にメニューバーが表示される。特許文献３では、タッチパネル付きディスプレイ装置において、マウスの操作に割り当てたスイッチと、スイッチ操作信号を発するための赤外線信号発信部とを備えた専用のタッチペンを使用することが記載されている。」
「【発明が解決しようとする課題】
【０００５】
　しかしながら、特許文献１および２に開示された技術では、メニューを選択したいときにユーザはスクリーンの端まで腕を伸ばしたり移動したりしなければならず、作業効率が低下するという問題がある。特許文献３に開示された技術では、ボタンと発信部をペンに追加する必要があり、構成が複雑化しコストも増大するという問題がある。
【０００６】
　本発明はこうした状況に鑑みてなされたものであり、その目的は、ポインティングデバイスの軌跡を検出して表示する情報表示システムにおいて、描画中のユーザの手の届く範囲でデバイスの設定変更ができるようにする技術を提供することにある。」
「【００２４】
　指示点検出部５２は、カメラ３０から得られる撮像画像から、ペン型デバイス１２０の先端から照射された光の輝点を検出し、投写映像内で指示点となるペン先位置の座標を特定する。この座標情報は、操作判定部５４と描画部５８に送られる。」
「【００２７】
　アイコン位置決定部５６は、指示点検出部５２で特定されたペン先座標位置の近傍で、所定のアイコンを表示すべき位置を決定する。アイコンは、ペン型デバイスのペン先に追従して、ユーザによる描画を妨げない位置に表示されることが好ましい。そこで、アイコン位置決定部５６は、ペン先位置の座標から見て、右利き／左利きの設定、描画の方向、描画された軌跡の曲率、設定されたユーザの嗜好等のうちの一つ以上に基づいて定められた方向に所定の距離だけ離れた座標を、アイコンの表示位置として決定する。所定の距離は、例えば描画中断位置からユーザの手先の移動だけで到達できるような距離を予め設定しておく。決定されたアイコンの表示位置は、描画部５８に送られる。」
「【００３３】
　また、アイコン位置決定部５６は、指示点検出部５２で特定された座標を受け取り、メニューアイコンを描画すべき位置を決定する。図４の例では、ユーザが右利きであることが予め登録されており、メニューアイコンがペン先の移動方向に応じて軌跡の左側または下側に表示される設定がなされているものとする。決定されたメニューアイコンの描画位置の情報は描画部５８に送られる。描画部５８は、予め準備されているメニューアイコン画像を、決定された位置に描画した画像を作成し、映像信号出力部６０に送る。この結果、スクリーン上のペン型デバイス１２０のペン先位置近傍にメニューアイコンＭが表示される。ペン型デバイス１２０を移動させると、メニューアイコンＭもこれに追従してスクリーン上を移動する。
【００３４】
　このように、スクリーン上でのペン型デバイスの移動に追従して、ペン型デバイスの近傍に常にメニューアイコンが表示されるので、ユーザがペン型デバイスで容易にメニューアイコンをクリックすることができる。離れた位置に存在するメニュー画面やメニューバーをクリックするために、腕を伸ばしたり歩いたりする必要がない。」
「【００５２】
　以上説明したように、本実施形態によれば、ペン型デバイスからスクリーン上に投写される光を撮像してデバイスの軌跡を検出するシステムにおいて、ユーザが操作するデバイスのペン先に追従して所定のアイコンが表示される。したがって、ユーザは簡単にメニュー機能を使用できる。この構成は、特に大型のスクリーンに映像を投写している場合に、離れた位置にあるメニュー画面までユーザが腕を伸ばしたり歩いて移動したりすることなく直ちにメニュー機能を使用できるので、特に有利となる。複数のユーザが同時に描画をしている場合でも、各自の描画位置にメニューアイコンが表示されるので、ユーザ同士が交差したりする必要がない。
・・・中略・・・
【００５４】
　上述の実施形態では、メニューアイコンやトグルスイッチアイコンを描画に追従させて表示することを述べたが、アイコン以外のものを表示してもよい。例えば、メニュー画面そのものを描画に追従させてもよい。」
　上記記載事項から、刊行物２について次のことがいえる。
ア．段落【００３３】の「アイコン位置決定部５６は、指示点検出部５２で特定された座標を受け取り、メニューアイコンを描画すべき位置を決定する。・・・中略・・・決定されたメニューアイコンの描画位置の情報は描画部５８に送られる。描画部５８は、予め準備されているメニューアイコン画像を、決定された位置に描画した画像を作成し、映像信号出力部６０に送る。この結果、スクリーン上のペン型デバイス１２０のペン先位置近傍にメニューアイコンＭが表示される。」の記載及び段落【００５２】の「複数のユーザが同時に描画をしている場合でも、各自の描画位置にメニューアイコンが表示されるので、ユーザ同士が交差したりする必要がない。」の記載によれば、刊行物２には、「メニューアイコンの表示指示をユーザから受けずに、検出されたペン型デバイス夫々の位置座標に基づき、ペン型デバイス夫々に対応したメニューアイコンをペン型デバイスの数だけ表示する」技術事項が記載されているといえ、さらに、段落【００５４】の「上述の実施形態では、メニューアイコンやトグルスイッチアイコンを描画に追従させて表示することを述べたが、アイコン以外のものを表示してもよい。例えば、メニュー画面そのものを描画に追従させてもよい。」の記載によれば、刊行物２には、「メニュー画面の表示指示をユーザから受けずに、検出されたペン型デバイス夫々の位置座標に基づき、ペン型デバイス夫々に対応したメニュー画面をペン型デバイスの数だけ表示する」技術事項（以下、「技術事項Ａ」という。）が示されているといえる。
イ．段落【００３３】の「スクリーン上のペン型デバイス１２０のペン先位置近傍にメニューアイコンＭが表示される。ペン型デバイス１２０を移動させると、メニューアイコンＭもこれに追従してスクリーン上を移動する。」の記載によれば、刊行物２には、「各ペン型デバイスの位置変更に応じて、変更後の各ペン型デバイスの位置から特定範囲内に、対応するメニューアイコンの表示位置が変更される」技術事項が記載されており、さらに、段落【００５４】の「上述の実施形態では、メニューアイコンやトグルスイッチアイコンを描画に追従させて表示することを述べたが、アイコン以外のものを表示してもよい。例えば、メニュー画面そのものを描画に追従させてもよい。」の記載によれば、刊行物２には、「各ペン型デバイスの位置変更に応じて、変更後の各ペン型デバイスの位置から特定範囲内に、対応するメニュー画面の表示位置が変更される」技術事項（以下、「技術事項Ｂ」という。）が示されているといえる。
（３）当審における、平成２８年３月２４日付けで通知した拒絶の理由に引用された特開２００９−２０５４２５号公報（以下、「刊行物３」という。）には、図とともに次の記載がある。
「【００７１】
　図１１は、実施形態５に係わる座標入力装置２の構成の一例を示す図であり、図１２〜図１５は、図１１に示す座標入力装置２における処理の流れを示すフローチャートである。なお、図１１に示す座標入力装置２の構成は基本的に、図１、図４と同様の構成となる。相違点としては、アプリケーション５３に対応した表示領域（ウィンドウ）内において、第１の領域（タッチアップ座標カーソル表示領域６３１）と第２の領域（タッチアップ座標カーソル非表示領域６３２）とがあるところである。タッチアップ座標カーソル表示領域６３１は、例えば、操作ボタン部を内在する。タッチアップ座標カーソル非表示領域６３２は、例えば、ホワイトボードとして専用ペン３による描画を行う領域である。なお、この領域６３２では、複数の専用ペン３により描画が同時に行なわれる場合もある。この場合、例えば、２つの専用ペン３による同時描画に際して、専用ペン３各々が有する固有の識別子であるＩＤと、タッチダウン信号とを同時に専用ペン３から発信する。座標入力装置２においては、それをセンサ部２１で受信し、座標検出部２３でＩＤを識別し、そのＩＤ信号をタッチダウン座標とともに入力デバイスドライバ４に送信する。こうすることでアプリケーション５３では、入力デバイスドライバ４を経由して渡された専用ペンＩＤにより、専用ペン３毎に属性、例えば、色、線種、太さの異なる線で描画を行うことができる。このような構成により、座標検出部２３においては、専用ペン３等による描画等が同一タイミング（厳密には、非常に近いタイミングをも含む）でなされた場合であっても、センサ部２１からの複数の指示状態の情報を受け、複数座標の検出、演算を行うことができる。」
　上記記載事項から、刊行物３には、「電子ホワイトボードへの２つの専用ペンによる同時描画に際して、専用ペン各々が有する固有の識別子であるＩＤを専用ペンから発信し、専用ペンのＩＤと検出されたタッチダウン座標により、同時描画の座標を各専用ペンに対応させる」技術事項が示されているといえる。
３．対比
　本願発明と引用発明とを対比する。
（ア）引用発明の「デジタイザ５０５、５０６」は、「表示装置の画面上にテキストやイラストを描画するものであり」、「表示装置５０３にデジタイザ５０５の識別子を通知」しているから、個別の識別子を持つことは明らかであり、本願発明の「自器の識別データを夫々有し、描画に係る指示を行う複数の描画器」に相当し、引用発明の「電子黒板システム」は、本願発明の「自器の識別データを夫々有し、描画に係る指示を行う複数の描画器から、該指示を受け付け、該指示に基づいて画像が表示される表示画面を有する描画装置」に相当するといえる。
（イ）引用発明の「大画面表示装置の画面上に」「組み合わせ」た「タッチパネル等」は、本願発明の「前記表示画面上の各描画器の位置を検出するタッチパネル部」に相当する。
（ウ）引用発明の「機能ツールウィンドウ５０８」は、機能ツールウィンドウ５０８に表示された機能アイコンを選択すると各デジタイザ５０５、５０６に機能を設定できるから、本願発明の「描画に係る設定を受け付ける設定受付画像」に相当するといえる。
（エ）引用発明は、「デジタイザ５０５付近の画面５０４に機能ツールウィンドウ５０８を表示させる」から、「デジタイザ５０５」の検出された位置に基づき、「機能ツールウィンドウ５０８」を表示することは明らかであり、当該構成は、本願発明の「描画に係る設定を受け付ける設定受付画像の表示指示をユーザから受けずに、検出された描画器夫々の位置に基づき、描画器夫々に対応した設定受付画像を描画器の数だけ表示する表示手段」と、「検出された描画器の位置に基づき、設定受付画像を表示する表示手段」である点では共通するといえる。
　また、引用発明の「デジタイザ５０５付近の画面５０４に機能ツールウィンドウ５０８を表示させる」構成は、本願発明の「取得された識別データ及び前記タッチパネル部の検出結果に基づき、各描画器の位置から特定範囲内に、対応する設定受付画像が表示され」る構成と、「前記タッチパネル部の検出結果に基づき、描画器の位置から特定範囲内に、設定受付画像が表示され」る構成である点では共通するといえる。
（オ）引用発明は、「デジタイザ５０５で機能ツールウィンドウ５０８に表示された機能アイコンを選択すると表示装置５０３にデジタイザ５０５の識別子を通知」するから、引用発明は、本願発明と同様に「各描画器から識別データを取得する取得手段」を備えているといえる。
　したがって、本願発明と引用発明とは、
「自器の識別データを夫々有し、描画に係る指示を行なう複数の描画器から、該指示を受け付け、該指示に基づいて画像が表示される表示画面を有する描画装置において、
　前記表示画面上の各描画器の位置を検出するタッチパネル部と、
　検出された描画器の位置に基づき、設定受付画像を表示する表示手段と、
　各描画器から識別データを取得する取得手段とを備え、
　前記タッチパネル部の検出結果に基づき、描画器の位置から特定範囲内に、設定受付画像が表示されるように構成してあることを特徴とする描画装置。」
で一致するものであり、次の点で相違している。
　　
＜相違点１＞
　本願発明の「表示手段」は、「描画に係る設定を受け付ける設定受付画像の表示指示をユーザから受けずに、」検出された描画器夫々の位置に基づき、「描画器夫々に対応した設定受付画像を描画器の数だけ表示する」のに対し、引用発明は、「デジタイザ５０５に機能ツールウィンドウ５０８を表示するためのボタンを設け、そのボタンをクリックする、または、デジタイザ５０５で所定のペンジェスチャを行うことにより、機能ツールウィンドウ５０８を表示する」ものであり、デジタイザ夫々に対応した設定受付画像をデジタイザの数だけ表示することも特定されていない点。
＜相違点２＞
　本願発明は、「取得された識別データ及び前記タッチパネル部の検出結果に基づき、各描画器の位置から特定範囲内に、対応する設定受付画像が表示され」るのに対し、引用発明は、タッチパネル部の検出結果に基づき、描画器の位置から特定範囲内に、設定受付画像が表示されるようにしているものの、「識別データ」に基づいて設定受付画像が表示されるものではない点。
＜相違点３＞
　本願発明は、「各描画器の位置変更に応じて、変更後の各描画器の位置から前記特定範囲内に、対応する設定受付画像の表示位置が変更されるように構成してある」のに対し、引用発明は、そのように構成されていない点。
４．判断
（１）相違点１について
　刊行物２に示された技術事項Ａは、「メニュー画面（本願発明の「設定受付画像」に相当する。）の表示指示をユーザから受けずに、検出されたペン型デバイス（本願発明の「描画器」に相当する。）夫々の位置座標に基づき、ペン型デバイス夫々に対応したメニュー画面をペン型デバイスの数だけ表示する」ものである。
　刊行物２は、「メニューを選択したいときにユーザはスクリーンの端まで腕を伸ばしたり移動したりしなければならず、作業効率が低下するという問題がある。」（【０００５】）ことを課題としており、引用発明の課題である「ユーザＡ４０１がデジタイザ４０５の機能を変更するために、デジタイザ４０５を画面４０４の編集領域から機能ボタン４０７まで移動させなければならない。その結果、デジタイザ４０５だけでなくユーザ４０１の視線も移動し、思考が中断されてしまう」（【００１４】）ことと共通するものであることから、引用発明において、上記刊行物２の技術事項Ａを適用することは、当業者が容易に想到し得ることである。
　したがって、引用発明において、上記刊行物２の技術事項Ａを適用し、「描画に係る設定を受け付ける設定受付画像の表示指示をユーザから受けずに、検出された描画器夫々の位置に基づき、描画器夫々に設定受付画像を描画器の数だけ表示する」ようにすることは当業者が容易になし得ることである。
（２）相違点２について
　刊行物３には、「電子ホワイトボード（本願発明の「描画装置」に相当する。）への２つの専用ペン（本願発明の「描画器」に相当する。）による同時描画に際して、専用ペン各々が有する固有の識別子であるＩＤ（本願発明の「識別データ」に相当する。）を専用ペンから発信し、専用ペンのＩＤと検出されたタッチダウン座標（本願発明の「タッチパネル部の検出結果」の相当する。）により、同時描画の座標を各専用ペンに対応させる」技術事項が示されている。
　上記刊行物３の技術事項と引用発明は、電子ホワイトボード（電子黒板システム）への描画器による描画入力に関する技術である点で共通するものであることから、引用発明において、上記刊行物３の技術事項を適用することは、当業者が容易に想到し得ることである。
　したがって、引用発明において、上記刊行物３の技術事項を適用することにより、「取得された識別データ及び前記タッチパネル部の検出結果」に基き、対応する設定受付画像を表示するようにすることは、当業者が容易になし得ることである。
（３）相違点３について
　刊行物２に示された技術事項Ｂは、「各ペン型デバイス（本願発明の「描画器」に相当する。）の位置変更に応じて、変更後の各ペン型デバイスの位置から特定範囲内に、対応するメニュー画面（本願発明の「設定受付画像」に相当する。）の表示位置が変更される」ものである。
　そして、刊行物２は、「メニューを選択したいときにユーザはスクリーンの端まで腕を伸ばしたり移動したりしなければならず、作業効率が低下するという問題がある。」（【０００５】）ことを課題としており、引用発明の課題である「ユーザＡ４０１がデジタイザ４０５の機能を変更するために、デジタイザ４０５を画面４０４の編集領域から機能ボタン４０７まで移動させなければならない。その結果、デジタイザ４０５だけでなくユーザ４０１の視線も移動し、思考が中断されてしまう」（【００１４】）ことと共通するものであることから、引用発明において、上記刊行物２の技術事項Ｂを適用することは、当業者が容易に想到し得ることである。
　したがって、引用発明において、上記刊行物２の技術事項Ｂを適用し、「各描画器の位置変更に応じて、変更後の各描画器の位置から前記特定範囲内に、対応する設定受付画像の表示位置が変更される」ようにすることは当業者が容易になし得ることである。
　したがって、本願発明は、引用発明及び刊行物２、３記載の技術に基づいて当業者が容易になし得たものである。
　そして、本願発明の作用効果も、引用発明及び刊行物２、３記載の技術から、当業者であれば予想できる範囲内のものである。
　
５．むすび
　以上のとおり、本願発明は、引用発明及び刊行物２、３記載の技術に基づいて当業者が容易に発明をすることができたものであるから、特許法第２９条第２項の規定により、特許を受けることができない。
　したがって、本願は、その余の請求項について論及するまでもなく拒絶すべきものである。
　よって、結論のとおり審決する。